(57)【要約】【課題】  クリップの係止状態が「外れにくく、かつ外しやすい」という技術的課題を解決し、かつ不慮の事故による外力の付加に対して係止部の係止を安定化させたＢタイプのクリップの提供。【解決手段】  アーム間に可撓性の中空部材で構成される被挟持物を押圧保持し、該被挟持物に独立した別空間を形成可能な対向した挟持アーム、該挟持アーム間に前記中空状被挟持物を押圧保持した状態で係止可能な一対の係止部、および挟持アームから外方向に向かう力（以下、係止解除力ともいう）によって前記係止部の係止を解除できるプルタブ部を有する係止解除部材で少なくとも構成されるクリップであって、前記プルタブ部が外力によって横方向および／または上方向への移動することを制限できる構造を有することを特徴とするクリップ。【選択図】        図２
2005153944.tif 000002
【特許請求の範囲】
【請求項１】
アーム間に可撓性の中空部材で構成される被挟持物を押圧保持し、該被挟持物に独立した別空間を形成可能な対向した挟持アーム、該挟持アーム間に前記中空状被挟持物を押圧保持した状態で係止可能な一対の係止部、および挟持アームから外方向に向かう力（以下、係止解除力ともいう）によって前記係止部の係止を解除できるプルタブ部を有する係止解除部材で少なくとも構成されるクリップであって、前記プルタブ部が外力によって横方向および／または上方向への移動することを制限できる構造を有することを特徴とするクリップ。
【請求項２】
前記係止解除部材が接合され、該係止解除部材により加えられる係止解除力を前記係止部材の係止部に作用させる支点部を有するアーム部で構成される係止部材の先端に、前記一対の係止部の一方が形成されたものであることを特徴とする請求項１に記載のクリップ。
【請求項３】
前記係止部を前記支点部より係止解除部材側に設けたことを特徴とする請求項３に記載のクリップ。
【請求項４】
プルタブ部が中空物であることを特徴とする請求項１〜３のいずれかに記載のクリップ。
【請求項５】
中空物が板状であることを特徴とする請求項４に記載のクリップ。
【請求項６】
前記プルタブ部の中空内に突起してプルタブ部が横方向に移動するのを制限することができる突起部を有することを特徴とする請求項４または５に記載のクリップ。
【請求項７】
前記係止解除部材および係止部材を有する側の挟持アームの先端側に凹部を形成し、該凹部の底面より前記突起部が立設していることを特徴とする請求項６に記載のクリップ。
【請求項８】
前記突起部が、プルタブ部を構成する中空物の内縁部との間に隙間を形成することが可能な板状物（中板）であることを特徴とする請求項６または７に記載のクリップ。
【請求項９】
前記突起部の上縁部が、前記プルタブ部の中空部の上面より突出しない高さであることを特徴とする請求項７または８に記載の記載のクリップ。
【請求項１０】
プルタブ部、アーム部および板状物（中板）で形成される窪み部を有することを特徴とする請求項８または９に記載のクリップ。
【請求項１１】
プルタブ部の上縁部あるいは前記プルタブ部の上縁部と下縁部が、挟持アームの長手方向に円弧状の形状を形成したことを特徴とする請求項４〜６のいずれかに記載のクリップ。
【請求項１２】
プルタブ部の上縁部がＲ１５からＲ２５であることを特徴とする請求項１１に記載のクリップ。
【請求項１３】
プルタブ部の横幅が挟持アームの横幅以下であることを特徴とする請求項１〜１２のいずれかに記載のクリップ。
【請求項１４】
係止部材のカバー板を係止解除部材に形成したことを特徴とする請求項１〜１３のいずれかに記載のクリップ。
【請求項１５】
請求項１〜１４のいずれかに記載のクリップにより可撓性の中空部材で構成される被挟持物が挟持された状態でレトルト包装されたことを特徴とするレトルト包装品。
【発明の詳細な説明】
【技術分野】
【０００１】
本発明は、チューブの閉塞、あるいは可撓性の中空部材例えば袋状物の開口部を閉塞または複数の区画室に液密に仕切るのに用いるクリップに関する。前記袋状物としては、たとえば輸液バッグ等の医療用・医薬用バッグ等が挙げられるが、必ずしも医療用、医薬用バッグに限られるものではなく、該クリップによってチューブあるいは可撓性の中空部材を閉止あるいは独立した空間を形成する必要がある分野に広く使用できる。
【背景技術】
【０００２】
輸液バッグや透析液バッグ等に用いられる医薬用バッグにおいて液室を液密に区画するために使用するクリップとして、実公平５−８９９８号公報に開示されたものがある。これは別個に形成された２つのクリップ片の両端部に互いを固定する係合部がそれぞれ設けてあり、各クリップ片の両端の所定範囲を除く中央長手方向に輸液バッグの両面を挟持する直線状押え部を形成した構成になっていた。また、チューブや袋体を挟んで被挟持物の内部空間を液体密に封止するクランプとして、特公平４−１９３１７９号公報に開示されたものがある。これはクランプの一端に位置し２つの板状部材を着脱自在に結合する係合手段と、その内面に長手方向に互いに平行な押圧突条を有する二つの板状部材からなる挟持部と、該挟持部を該挟持物を挟持した状態に維持する着脱自在な係止部材と、クランプの他端に位置し指などで把持して前記挟持部に該挟持物を挟みこむ力を付与するためのための把持部とから構成されるものである。
【０００３】
また、チューブや袋体を挟んで被挟持物の内部空間を液体密に封止するクランプとして、特許文献１に開示されたものがある。これは、被挟持物の所定部を両面から挟持するクリップであって、一対の挟持杆をその一端部で着脱可能かつ揺動可能に軸支連結する。両挟持杆の他端部を係合手段で係止固定可能に構成する。第２挟持杆の第１挟持杆への対向面に挟持杆の長手方向に沿う嵌着溝を形成する。この嵌着溝に挿嵌して側壁部分に当接する嵌入条部を第１挟持杆の第２挟持杆への対向面に突出形成する。第２挟持杆の嵌着溝と、この嵌着溝に挿嵌した第１挟持杆の嵌入条部との間で被挟持物の膜材を圧着保持する構成のものである。さらに、袋の口などを封止するクランプとして、特許文献２に開示されたものがある。これは、２本のリムがヒンジ結合により対向しているはさみ込み手段と、リムの自由端に設けられたロック要素とを備えたクリップにおいて、リムには、リムに対向する側に弾性的に押圧できる脚を備え、リムには、はさみ込む対象物と共に前記脚を受け入れることのできる幅広の口と、脚を幅狭の奥部に案内するテーパー内壁面とを持ったチャンネルを備えて構成されるものである。
【０００４】
【特許文献１】特開２０００−２２９６４８号公報
【特許文献２】特公平２−６０５８０号公報
【発明の開示】
【発明が解決しようとする課題】
【０００５】
上述のように、チューブあるいは可撓性中空部材、例えば袋状物などの被挟持物を挟持するクリップに関しては、前記のように種々のものが公開されている。前記クリップ、特に袋状物例えばプラスチックバッグ用のクリップについては、その係止部材を押圧する部分と一体的に持つタイプ（以下、Ａタイプという）と、押圧する部分とは異なる部位に持つタイプ（以下、Ｂタイプという）とがある。Ａタイプは気密機能に優れる反面、その製造、開封性に問題がある。一方Ｂタイプは、製造、開封操作性に優れる反面、気密機能を確保することが難しい。
【０００６】
Ｂタイプのクリップの場合、クリップが長手方向に延長されると、この気密機能を確保するため係止部材を強化せざるを得ず、開封および閉止などに際して大きな力を要するなどの操作性の悪化を招く。この操作性を改善しようとすると、落下などで起こる衝撃が操作部位に加わることで簡単に外れるようになってしまう。すなわち、Ｂタイプのクリップの場合、「外れにくく、かつ外しやすい」という相反する技術的課題を解決しなければならないという問題があり、この問題は、クリップの係止状態を「外れにくく、かつ外しやすい」という相反する技術的課題を解決しなければならない困難な問題であった。
【０００７】
本出願人は先にＢタイプのクリップにおいて、該クリップをクリップの係止部に挟持アームから外方向に外力を加えることによって係止部の係止を解除できる構造（したがって、クリップの閉止は外方向から挟持アームに外力を加えることによって行なわれる）のものとすることにより、前記問題点を解決したクリップを提案している（特願２００１−１２７０１７）。前記本出願人が先に提案した発明においては、図１に示すように一方の挟持アーム１０の透孔部１５に形成された雌状係止部１１に、他方の挟持アーム５に形成した弾性部材１、支点部分３、プルタブリング４ならびに雄状係止部２よりなる係止部材の雄状係止部２を係止させることにより、前記挟持アーム５，１０間に被挟持物、例えば輸液バッグや透析液バッグ等に用いられる医療用・医薬用バッグ等の被挟持物を液密に挟持させることができ、かつ前記係止部に挟持アームから外方向に外力Ａをプルタブリング４等によって加えることにより前記雄状係止部２をＢに示すように動作させ係止部の解除を行うクリップである。このクリップは従来のクリップに比較して、「外れにくく、かつ外しやすい」という相反する技術的課題を十分に解決することができたものである。
【０００８】
ところで、大容量の輸液バッグや透析液バッグ等においては、前記図４および５に示すように前記クリップを使用してこれら輸液バッグや透析液バッグ等を２つ折りしてレトルト包装部材内に収納されることがある。前記のように図１に示すクリップで大容量の輸液バッグや透析液バッグ等で２つ折り包装した場合、図４に示すようにプルリングが外側にある場合と図５に示すようにプルリングが内側にある場合があるが、プルリングが外側にある場合にはレトルト内部面をこすり損傷を生じる場合があり、また、プルリングが内側にある場合、プルリングが２つ折りの大容量の輸液バッグや透析液バッグ等の包装面をこすり、包装面に損傷を生じる場合がある。本発明の目的の一つは前記問題をプルリングの改良によって図ることにもある。
【０００９】
さらに、前記図１に示すクリップは、クリップの係止部材に挟持アームから外方向に外力を加えることによって係止部の係止を解除できる構造のものとすることにより、クリップの係止状態を「外れにくく、かつ外しやすい」という相反する技術的課題を十分に解決したものであるが、該クリップのプルリング、特にその幅が挟持アームの横幅より大きいプルリングは例えば該クリップが落下した場合には横方向および／または上方向に移動し易く、これにより前記係止部の係止が解除される恐れがあった。本発明の他の目的は、落下等の不慮の事故によってクリップのプルリングに外力が加わっても、プルリングが横方向および／または上方向への移動を防止して、前記係止部の係止を一層安定化させることにある。
【課題を解決するための手段】
【００１０】
本発明は、アーム間に可撓性の中空部材で構成される被挟持物を押圧保持し、該被挟持物に独立した別空間を形成可能な対向した挟持アーム、該挟持アーム間に前記中空状被挟持物を押圧保持した状態で係止可能な一対の係止部、および挟持アームから外方向に向かう力（以下、係止解除力ともいう）によって前記係止部の係止を解除できるプルタブ部を有する係止解除部材で少なくとも構成されるクリップであって、前記プルタブ部が外力によって横方向および／または上方向への移動することを制限できる構造を有するクリップを提供することにより前記課題を解決することができた。
【００１１】
前記のような構造を採用することにより、本発明のクリップはクリップの係止状態を「外れにくく、かつ外しやすい」という相反する技術的課題を解決できただけでなく、例えば不慮の事故によってプルタブ部に横方向および／または上方向へ向かう係止解除力の作用に対して係止を安全に保持することができ、さらには前記クリップを使用して可撓性の中空部材を挟持してレトルト包装部材内に収納した場合においても、レトルト内部面をこすり損傷を生じること、あるいは被挟持物である可撓性の中空部材の表面に損傷を生じることを防止できる。
【００１２】
なお、本明細書において、挟持アームから外方向に向かう外力とは、図１および図２に示すような矢印方向の力Ａを言い、この力Ａすなわちプルタブ部４に付与された係止解除力は、前記係止部材１との接合部を介して係止部材１の支点３に作用し、係止部２を矢印方向Ｂの方向に動作させ、係止部の係止の解除を行うことができる。また、前記係止部の係止の解除を容易に行うためには、係止部２，１１を前記支点部３より係止解除部材２４側に設けること、すなわち、前記支点部３をもっとも先端側、次に係止部２，１１、次に係止解除部材２４の順に形成されたものが係止解除を小さな力で行うことができるので好ましい。
【００１３】
前記プルタブ部が挟持アームの長手方向に対して横方向および下方向、特に横方向から付与される外力によって横方向への移動を制限できる構造としては、前記プルタブ部の中空部の中空内に突起してプルタブ部が横方向に移動するのを制限することができる突起物が挙げられる。前記プルタブ部が挟持アームの長手方向に対して横方向および下方向、特に下方向から付与される外力によって上方向への移動を制限できる構造を有する別の態様として、プルタブ部を構成する中空物の横幅を挟持アームの横幅以下とした構造のものが挙げられる。この態様のクリップにおいても、前記（００１２）段落に記載のような突起部を形成し横方向にプルタブ部が移動し難いものが本発明の目的を達成する上でより好ましい。なお、本明細書においては、横方向および横幅という記載は、挟持アームの長手方向に対して直角方向あるいは直角方向の幅をいう。
【００１４】
以下、本発明を図２に基づいて具体的に説明する。
挟持アーム
本発明のクリップを構成する対向した挟持アーム５，１０を構成する合成樹脂の種類は特に制限されるものではないが、本発明のクリップに要求されるヒンジ特性とチューブあるいは可撓性中空部材の気密性確保に要求される剛性両立の理由から、ポリオキシメチレン樹脂（以下、ＰＯＭという）、ポリプロピレン樹脂（以下、ＰＰ樹脂という）、ポリカーボネート樹脂（以下、ＰＣ樹脂という）あるいはこれら樹脂にガラス繊維（以下、ＧＦという）、炭素繊維（以下、ＣＦという）などの補強材を混入させたものが好ましい。
【００１５】
これら樹脂と補強材の組み合わせとしては、ＧＦあるいはＣＦ入りＰＯＭ（以下、ＰＯＭ＋ＧＦあるいはＰＯＭ＋ＣＦという）、ＧＦあるいはＣＦ入りＰＰ（以下、ＰＰ＋ＧＦあるいはＰＰ＋ＣＦという）、ＧＦあるいはＣＦ入りＰＣ（以下、ＰＣ＋ＧＦあるいはＰＣ＋ＣＦという）等が挙げられる。
【００１６】
前記対向する挟持アーム５，１０は係止部材１が存在しない自由端を揺動可能に軸支連結（６，７）するか、あるいは別の態様として係止部材１が存在しない自由端に該挟持アームと一体成形して形成されたヒンジにより揺動可能に連結するか、または前述のような軸支連結（６，７）あるいはヒンジのような挟持アームの結合手段を別に設けることなく、各挟持アーム５，１０は、その両端部に上述のような本発明の特徴点の１つである係止部材１および係止解除部材２４を有し、各挟持アーム５，１０を互いに係止できる構造のものであっても良い。
【００１７】
本発明の挟持アーム５，１０は、挟持アーム１０の他方の挟持アーム５への対向面に挟持アームの長手方向に沿って嵌入突条部８が挿嵌できる嵌着溝９、また、前記他方の挟持アーム５の前記挟持アーム１０への対向面に前記嵌着溝９に挿嵌する嵌入突条部８を有する構造としても良い。このような構造としては、前記従来技術の欄に記載した公知技術、例えば特公平２−６０５８０号公報に記載のものが挙げられる。
本発明のクリップにおいて、前記挟持アーム、該挟持アームの係止部材１、および該係止部材１を解除する係止部材解除手段は一体成形されていることが製作上、好ましいが、一体成形されないものであっても良い。
【００１８】
係止部と係止部材
係止部は一方の挟持アーム１０に設けられた透孔１５および突起部１１で形成される雌状の係止部１１とフック状の雄部材２の一対で構成される。前記フック状の雄部材２は他方の挟持アーム５の一端部に形成された合成樹脂製のアーム部で構成された係止部材１の先端部に形成される。前記アーム部にはプルタブ４１を有する係止解除部材２４が接合され、プルタブ４１に付与された係止解除力によりＢ方向に揺動可能であり、この揺動により前記係止部の係止を解除することが可能である。
【００１９】
前記係止部材１としては、特に前記係止解除部材２４により加えられる係止解除力を係止部２と１１の係止を解除する方向に作用させる支点部３を有したものが係止解除を効果的に行うことができるので好ましい。さらに係止部材１としては、前記のように係止部（２、１１）を前記支点部３より帯状弾性片１２とプルタブ４で構成される前記係止解除部材２４側に設けた構造のもの、すなわち挟持アームの先端側から支点部３、雄状係止部２と雌状係止部１１および係止解除部材２４という順序で構成されたものが、係止解除部材２４により加えられる係止解除力を効果的に作用させることができるので好ましい。前記係止部材１は挟持アームと一体成形して作製されたものが好ましく、またこれらを形成する樹脂としては上述の挟持アームを形成する樹脂として好適な樹脂を採用するのが好ましい。
【００２０】
係止解除部材
係止解除部材は前記係止部材１に結合し、係止解除力を前記係止部材１に伝達し、前記係止部材で説明したような作用によって係止部の係止を解除させる機能を発揮するものである。また、係止解除部材２４は外部からの衝撃力は係止部分に伝達しにくい材料および／または構造であるのが好ましく、このような係止解除部材２４としては、下記のようなプルタブ４を有する合成樹脂製の帯状部材１２が挙げられる。
係止解除部材２４を形成する樹脂としては、上述の挟持アームあるいは係止部材１を形成する樹脂が挙げられる。また、係止解除部材２４は前記挟持アームおよび係止部材１と一体成形して作製されたものが好ましい。
【００２１】
本発明のクリップは、前記の挟持アーム５、突起部１４（中板）およびプルタブ部４１で形成される指先を挿入できる窪み部（図符号なし）を有することが、プルタブ部４１の握持性を向上させることができるので好ましい。前記窪み部は、前記係止解除部材２４および係止部材１を有する側の挟持アームの先端側に凹部を形成し、該凹部の底面より前記突起部１４（中板）を立設させ、挟持アーム５、突起部１４およびプルタブ部４１で形成させることができる。
【００２２】
プルタブ
本発明のクリップは、係止解除部材の構成部材としてプルタブを用いることにより、外部衝撃力に対しては安全でありながら、少ない力で係止部の係止解除を行うことができる。前記プルタブの形状としては中空物、例えば板状の中空部材が挙げられる。またその形状は例えばクリップの上側からみて図１に示すようなリング状のプルタブ４であってもよいが、特に図２および図３に示すようなクリップの上側からみて方形状のプルタブ４１が、以下に述べるような理由で好ましい。
【００２３】
クリップに不慮の衝撃力が加わった場合、例えばクリップあるいはクリップを装着した製品の落下、他物品や人等との接触等によりクリップに不慮の衝撃力が加わるとプルタブ部に横方向及び／又は上方向に向かう力が加わることがあり、この付与された不慮の外力によって前記クリップの係止部の係止が解除される恐れがある。この問題を解決するためには、プルタブ部の形状を前記外力が付与されにくくする必要があるが、そのためにはプルタブ部の横幅を前記係止解除部材２４が形成された挟持アームの横幅と同じか、それより小さくすることが好ましい。しかしながら、このような要件を満足するプルタブ部の形状として通常用いられているリング形状を採用すると、プルタブ部の握持部が小さくなり握持性を損なうことになるが、前記のようなアーム上側からみてアーム軸方向に方形形状のもの４１は握持部を十分に確保でき、このような問題を生じない。さらに下記（００２４）段落に記載するように、プルタブ部４１の握持性を一層向上させるためには、プルタブ部の上縁部４２あるいはプルタブ部の上縁部４２と下縁部４３にＲ部を形成させることが好ましいが、プルタブ部の形状を方形形状とすることにより、プルタブ部に前記のようなＲ部を容易に形成させることができる。なお、本明細書においては横方向あるいは横幅、および上方向あるいは下方向とは挟持アームの長手方向を基準として定義されるものである。
【００２４】
前記プルタブ部の上縁部４２が挟持アームの長手方向に円弧状の形状を形成していることが好ましい。該円弧状の形状は好ましくはＲ１０からＲ３５、さらに好ましくはＲ１５からＲ２５である。また、前記プルタブ部の下縁部４３も前記上縁部４２と挟持アームの長手方向に円弧状の形状、好ましくはＲ２５からＲ３５を形成していることが好ましい。プルタブ部は前記のように少なくともその上縁部がＲ部を有することにより、プルタブ部全体の形状を滑らかにすることが容易になる。またプルタブ部にＲ部を形成することにより、前記のようにレトルト包装の際の損傷を防止できるだけでなく、以下に説明するようにプルタブ部の把持性をさらに向上させることができる。
すなわち、本発明のプルタブ部の操作は通常、前記の挟持アーム５、突起部１４およびプルタブ部４１で形成される窪み部（図符号なし）に指先を挿入し、突起部（中板）１４は握持することなく、プルタブ部の側面部の中央部を握持して行うが、前記のようにプルタブ部にＲ部を設け、かつ挟持アーム５、突起部１４およびプルタブ部４１で形成される窪み部を設けることにより、前記の把持性を一層向上させることができる。
【００２５】
係止解除部材２４には図７に示すような係止部材１のカバー板１９を係止解除部材２４に形成することが好ましい。すなわち、図５および６に示すように可撓性の中空部材は本発明のクリップにより挟持されて二つ折り状態でレトルト包装されることがある。このような場合、本発明のクリップは中空部材および／またはレトルト包装材の表面に傷つけを生じさせない形状、例えば角部を無くした滑らかな形状、例えばＲ部を形成したものが好ましい。しかしながら、前記の保持部材に形成された支点部３は、この部分を滑らかな形状とすることは成形上困難であるので、端部の角部を滑らかな形状としたカバー板１６を係止解除部材２４に形成することにより、上述のような問題を解決することができる。
【００２６】
突起部
本発明のクリップにおいて、上述のようにプルタブ部４１を構成する中空物の中空部に挿入されてプルタブ部４１が横方向および／または上方向に移動するのを制限することができる機能を有するもので、該突起部としては、図３に示すように挟持アームに設けた挟持アームの長手方向に沿って薄厚の板状物（中板）１４であって、プルタブ部４１の間に隙間１６が存在し両者が非接触である薄厚の板状物（中板）１４が挙げられる。また、この薄厚の板状物（中板）１４は該板状物（中板）１４、プルタブ部４１おとびアーム部５で凹部（窪み部）を形成し、該凹部（窪み部）の底面より立設したものが上述のようにクリップの把持性の向上に有効である。
【００２７】
また、前記突起部はプルタブ部４１の上面から突出しない高さであるものが、上述のように該クリップを使用して中空状の被挟持物を挟持し二つ折り状態でレトルト包装された場合に、該突起部１４によってレトルト包装状態のレトルトの内面あるいは可撓性の中空部材である被挟持物の外面を損傷することが無いので好ましい。
【００２８】
上述のように本発明のクリップは、クリップの係止状態を「外れにくく、かつ外しやすい」という相反する技術的課題の解決および該クリップ、特に該クリップのプルタブ部に横方向および／または上方向に外力が加わった場合にも係止部の係止を安定に保持するという目的と並んで、該クリップを使用して中空状被挟持物を挟持した状態で被挟持物をレトルト包装した場合にレトルト内部面をこすり損傷を生じさせること、あるいは被挟持物の外面をこすり損傷を生じさせることを防止するのを目的とするものであるから、本発明のクリップを構成する全部材、特にプルタブ部を含めてレトルト部材と直接に接触する部分だけは、前記のような損傷を生じさせる恐れが無い角部の滑らかな形状にするのが好ましい。
【発明を実施するための最良の形態】
【００２９】
本発明の目的を効果的に行うことができるクリップである。
【実施例１】
【００３０】
図７は本発明のクリップの側面図である。
挟持アーム５、１０はＰＣ＋ＧＦで形成し、軸支連結（６，７）可能である。挟持アーム５の先端側に該アーム５の高さ方向に約半分の深さの凹部（窪み部）を形成し、該凹部の底面２３より突起部（中板）１４が立設している。該突起部（中板）１４の上縁部１３はＲ部が形成されており、上縁部１３は方形状プルタブ部４１の上縁部４２より突出しない高さである。方形状プルタブ部４１の上縁部４２および下縁部４３はＲ部が形成されており、上縁部４２のＲ部は約Ｒ２０であり、また下縁部４３のＲ部は約Ｒ３０である。挟持アーム５と係止部、係止部材１、係止解除部材２４および係止解除部材２４に結合した係止部材１のカバー部材１９は前記ＰＣ＋ＧＦで一体成形で形成したものである。
また、係止部材１を構成するアーム部は挟持アーム５の先端側に突出後、支点部３から挟持アーム５の先端側に湾曲および垂下し、該係止部材１の係止部側に係止解除部材２４が接合され、挟持アームの先端側から支点部３、雄状係止部２と雌状係止部１１および係止解除部材２４という順序で構成されたものである。
【図面の簡単な説明】
【００３１】
【図１】本出願人の先願のクリップにおける挟持アーム、係止部、係止部材および係止解除部材の構成を説明した図である。
【図２】本発明のクリップにおける挟持アーム、係止部材、係止部および係止解除部材の１態様の構成を説明した図である。
【図３】図２のクリップの平面図である。
【図４】本発明のクリップの係止部材および係止解除部材付近の拡大図である。
【図５】クリップを使用して中空状被挟持物を挟持した状態で被挟持物をレトルト包装した場合の状態を示す図である。
【図６】クリップを使用して中空状被挟持物を挟持した状態で別の態様により被挟持物をレトルト包装した場合の状態を示す図である。
【図７】図１のクリップにおいて、係止部材の係止部および帯状弾性部材をカバーする盤状部材を係止解除部材に形成した図である。
【符号の説明】
【００３２】
１    係止部材
２    係止部材の雄状係止部
３    係止部材の支点部分
４  係止部材のプルタブ部(リング状)
４１  係止部材のプルタブ部（方形状）
４２  プルタブ部（方形状）の上縁部
４３  プルタブ部（方形状）の下縁部
５    挟持アーム
６  挟持アームの枢着部
７  挟持アームの枢着部
８  挟持アーム５の長手方向に沿って形成された嵌着溝９に挿嵌可能な突条部              材
９  嵌着溝
１０  挟持アーム
１１  挟持アームの透孔部に形成された雌状係止部
１２  係止部材の帯状部
１３  突起部（中板）の円弧状の上部縁形状
１４  突起部（中板）
１５  透孔
１６  プルタブ部と突起部の隙間
１７  係止解除部材の帯状部
１８  クリップで挟持された可撓性の中空部材
１９  係止解除部材に形成された係止部材のカバー部材
２０  係止部材と係止解除部材との接合部
２１  凹部の底面図
２２  レトルト包装部材
２３  凹部（窪み部）の底面
２４  係止解除部材
Ａ    挟持アームから外方向に向かう力
Ｂ    係止部の係止解除方向
Ｃ    プルタブ部の横幅
Ｄ    挟持アームの横幅
【図１】
2005153944.tif 000003
【図２】
2005153944.tif 000004
【図３】
2005153944.tif 000005
【図４】
2005153944.tif 000006
【図５】
2005153944.tif 000007
【図６】
2005153944.tif 000008
【図７】
2005153944.tif 000009